(57)【特許請求の範囲】
【請求項１】
長手方向に中空部が形成された長尺体に挿入孔が形成され、該挿入孔に取付具を介して
照明具が挿入され、前記取付具は、中空部内に挿入されて該取付具を長尺体に取付ける挿
入部と、前記照明具を挿入孔内に保持する保持部とを備え、前記取付具は、垂直壁の上下
端から突設された上側横壁と下側横壁とを備えてコ字状で形成された前記挿入部の、上側
横壁と下側横壁とがそれぞれ前記中空部の上側面と下側面とを押さえつけるようにして、
長尺体に取付けられていることを特徴とする長尺体。
【請求項２】
長手方向に中空部が形成された長尺体に挿入孔が形成され、該挿入孔に取付具を介して
照明具が挿入され、前記取付具は、中空部内に挿入されて該取付具を長尺体に取付ける挿
入部と、前記照明具を挿入孔内に保持する保持部とを備えると共に、前記長尺体の挿入孔
に二個の取付具が相対向して取付けられ、各取付具は、中空部内に挿入されるコ字状の挿
入部の下端縁から縦壁が下方に向けて設けられると共に、挿入孔側に張り出した係止片が
対向して前記縦壁に取付けられ、かつ前記照明具の外側面に棒体が水平方向に設けられ、
該棒体が前記係止片に係止されて、照明具が長尺体に保持されていることを特徴とする長
尺体。
【請求項３】
前記照明具は、上面が開口された容器の上面が略平坦な透光体によって閉鎖され、その
内部には太陽光を受光して電力を発生させるソーラ部と発生した電力により発光する発光
体とが収納されていると共に、前記発光体の光が透光体を透過して外部に放出されるよう
になされていることを特徴とする請求項１または２に記載の長尺体。
【請求項４】
請求項１〜３のいずれか１項に記載の長尺体が複数本並列に配置されて形成されたことを特徴とする面状体。
【発明の詳細な説明】
【技術分野】
【０００１】
本発明は、例えば、遊歩道や公園施設において設置されるベンチやテーブル、八ツ橋、ボードウォークの他、都心の安らぎスペースの床、競技場観覧席、店舗等の壁や階段、或いはベランダやテラスのデッキ等に用いられる長尺体及びそれからなる面状体に関するものである。
【背景技術】
【０００２】
従来、上記長尺体の一例であるデッキ材としては、例えば、長手方向に連続する中空部が幅方向に複数個形成されたデッキ材と、２個の脚片の上端部が接続片で連結された接続部および該接続部の各脚片の外面からそれぞれ突出された複数個の連結部からなる連結部材と、から構成され、前記連結部材の各連結部は、デッキ材の中空部に対応する形状に形成され、長手方向に敷設された２本のデッキ材の中空部に連結部材の対応する連結部がそれぞれ嵌合されて２本のデッキ材が連結されているものが開示されている。（例えば特許文献１）
【先行技術文献】
【特許文献】
【０００３】
【特許文献１】特開２００８−００２１６４２号公報
【発明の概要】
【発明が解決しようとする課題】
【０００４】
そして、この様なデッキ材が並設され床や通路等が形成されている場所では、夜間床や通路等を照らすための照明灯が併設されており、この照明灯は支柱の上部に照明灯具が取付けられて地面に立設されているのであるが、その場合、デッキ材を設置する工事以外に別途照明灯を設置する工事が必要となり、多大な労力を必要としていた。
【０００５】
本発明は上記の如き課題に鑑みてなされたものであり、長尺体であるデッキ材等を施工する際に、簡単に照明具を設置することができる長尺体及びそれからなる面状体を提供せんとするものである。
【課題を解決するための手段】
【０００６】
上記目的を達成するために、本発明は次のような構成としている。
すなわち、本発明に係る長尺体は、長手方向に中空部が形成された長尺体に挿入孔が形
成され、該挿入孔に取付具を介して照明具が挿入され、前記取付具は、中空部内に挿入さ
れて該取付具を長尺体に取付ける挿入部と、前記照明具を挿入孔内に保持する保持部とを
備え、前記取付具は、垂直壁の上下端から突設された上側横壁と下側横壁とを備えてコ字
状で形成された前記挿入部の、上側横壁と下側横壁とがそれぞれ前記中空部の上側面と下
側面とを押さえつけるようにして、長尺体に取付けられていることを特徴とするものであ
る。
【０００７】
また、本発明に係る長尺体は、長手方向に中空部が形成された長尺体に挿入孔が形成さ
れ、該挿入孔に取付具を介して照明具が挿入され、前記取付具は、中空部内に挿入されて
該取付具を長尺体に取付ける挿入部と、前記照明具を挿入孔内に保持する保持部とを備え
ると共に、前記長尺体の挿入孔に二個の取付具が相対向して取付けられ、各取付具は、中
空部内に挿入されるコ字状の挿入部の下端縁から縦壁が下方に向けて設けられると共に、
挿入孔側に張り出した係止片が対向して前記縦壁に取付けられ、かつ前記照明具の外側面
に棒体が水平方向に設けられ、該棒体が前記係止片に係止されて、照明具が長尺体に保持
されていることを特徴とするものである。
【０００８】
また、本発明に係る長尺体は、前記照明具は、上面が開口された容器の上面が略平坦な透光体によって閉鎖され、その内部には太陽光を受光して電力を発生させるソーラ部と発生した電力により発光する発光体とが収納されていると共に、前記発光体の光が透光体を透過して外部に放出されるようになされていることを特徴とするものである。
【０００９】
また、本発明に係る面状体は、前記長尺体が複数本並列に配置されて形成されたことを特徴とするものである。
【発明の効果】
【００１０】
本発明に係る長尺体よれば、長手方向に中空部が形成された長尺体に挿入孔を形成し、該挿入孔に取付具を介して照明具を挿入し、前記取付具は、中空部内に挿入されて該取付具を長尺体に取付ける挿入部と、前記照明具を挿入孔内に保持する保持部とを備えているため、長尺体に照明具を容易に設置することができる。
【００１１】
また、本発明に係る長尺体よれば、長尺体の挿入孔に二個の取付具を相対向して取付け、各取付具は、中空部内に挿入されるコ字状の挿入部の下端縁から縦壁を下方に向けて設けると共に、挿入孔側に張り出した係止片を対向して前記縦壁に取付け、かつ前記照明具の外側面に棒体を水平方向に設け、該棒体を前記係止片に係止して、照明具を長尺体に保持しているため、長尺体の挿入孔に相対向して二個の取付具を取付け、挿入孔の上方から照明具を挿入して、その外側面に設けた棒体を縦壁と係止片との間に挿入するだけで、長尺体に照明具を設置することができ、効率よく設置作業を行うことができる。
【００１２】
また、本発明に係る長尺体よれば、前記照明具は、上面が開口された容器の上面を略平坦な透光体によって閉鎖し、その内部には太陽光を受光して電力を発生させるソーラ部と発生した電力により発光する発光体とを収納すると共に、前記発光体の光が透光体を透過して外部に放出されるようになされているため、照明具に収納されている発光体に電力を供給するための配線を施工する必要がなく、長尺体に照明具を設置することができ、効率よく設置作業を行うことができる。
【００１３】
また、本発明に係る面状体によれば、前記長尺体を複数本並列に配置して形成しているので、照明具を任意の位置に配置することができる面状体を形成することができ、例えば照明具を誘導経路上に配置すれば、緊急時において人々を誘導することができると共に、面状体全体の意匠性を向上させることができる。
【図面の簡単な説明】
【００１４】
【図１】本発明に係る長尺体を複数本並列に配置した面状体の実施の一形態を示す斜視図である。
【図２】本発明に係る面状体に照明具を取付ける手順を説明する説明図である。
【図３】本発明に用いる照明具を示す斜視図である。
【図４】図１の要部縦断面図である。
【図５】本発明に用いる取付具を示す斜視図である。
【発明を実施するための形態】
【００１５】
次に、本発明を実施するための最良の形態について図面を参照し、具体的に説明する。
１は長尺体であって、当該長尺体１が４本並列に根太材Ｎ上に配置固定され面状体であるデッキＰが形成されている。前記長尺体１は、長手方向に中空部１１が形成され、該中空部１１は長尺体１の上面１２と下面１３に亘って形成されている２個の縦リブ１４に仕切られて３列に形成されている。２は長尺体１の上面１２から下面１３に亘り貫通して形成された挿入孔、３は該挿入孔に挿入される照明具、４は前記挿入孔２に照明具３を挿入する際に用いられる取付具である。
【００１６】
該取付具４は、中空部１１内に挿入されて該取付具４を長尺体１に保持する挿入部４１と、前記照明具３を挿入孔２内に保持する保持部４２とを備え、長尺体１の挿入孔２に二個の取付具４が相対向して取付けられ、各取付具４は、中空部１１内に挿入されるコ字状の挿入部４１の下端縁から縦壁４３が下方に向けて設けられると共に、挿入孔２側に張り出した係止片４４が対向して前記縦壁４３に取付けられている。そして、前記縦壁４３の下端縁から挿入部４１と反対方向に水平に底部４５が突設されて、前記照明具３の底面が前記底部４５に載置されるようになされている。すなわち、保持部４２は縦壁４３と係止片４４と底部４５とを備えている。
【００１７】
前記照明具３は、上面が開口された略四角錐台状の容器３１の上面が、その形状に対応した四角状の略平坦な透光体３２によって閉鎖されている。さらに詳しく述べると、前記容器３１の上縁部には、外方に突出した鍔部３１１が全周に亘り設けられており、前記透光体３２の周縁部３２１は段部が形成されて、当該周縁部３２１を前記容器３１の鍔部３１１とで挟み込み容器３１を透光体３２によって閉鎖する押え３３が、前記周縁部３２１の上方から段部に載置され、容器３１の鍔部３１１と透光体３２１とを貫通して押え３３に形成されたネジ孔にボルトＢを挿入し締め込んで、容器３１を透光体３２によって閉鎖する。ボルトＢを締め込んだ時、前記押え３３が透光体３２の周縁のみを押圧するように、中央がくり抜かれた形状となされた額縁状に形成されている。これは、後述するように、照明具３の内部に備え付けた発光体３５から照射される光を外部に放出するためである。
【００１８】
そして照明具３の内部には、太陽光を受光して電力を発生させるソーラ部３４と発生した電力により発光する発光体３５とが収納されていると共に、発光体３５の光が透光体３２を透過して外部に放出されるようになされている。そして、照明具３の容器３１の相対向する一組の外側面３６にそれぞれ一個ずつ棒体３７が水平方向に設けられ、該棒体３７が前記取付具４の縦壁４３の挿入孔２側に張り出した係止片４４に係止されて、照明具３が長尺体１に保持されている。更に詳細に述べると、照明具３の容器３１の外側面３６の略中央に縦リブ３８がそれぞれ４個突設され、そのうちの相対向する一組の該縦リブ３８の所定の位置に貫通孔３９が穿設され、該貫通孔３９に前記棒体３７が挿通されて取付けられている。
【００１９】
前記取付具４のコ字状の挿入部４１の垂直壁４１１は、長尺体１の中空部１１の上側面１１１と下側面１１２の高さよりやや低く形成され、前記垂直部４１１の上下端から突設される上側横壁４１２と下側横壁４１３は、先端に向かうにしたがって上側横壁４１２は上方に、下側横壁４１３は下側に傾斜されて形成されて、上側横壁４１２と下側横壁４１３との距離が中空部１１の上側面１１１と下側面１１２の高さよりやや大きくなされている。このようにすることにより、取付金具４をその垂直壁４１１側から長尺体１の中空部１１の奥に向けて挿入する際、垂直壁４１１付近は挿入しやすく、かつ中空部１１の奥まで取付金具４を挿入すると、取付金具４の上側横壁４１２と下側横壁４１３がそれぞれ中空部１１の上側面１１１と下側面１１２を押さえつけて、その押圧力により強固に取付金具４が長尺体１に取付けられる。
【００２０】
取付具４の縦壁４３の中央付近には切込み４６が形成されており、該切込み４６の両側にそれぞれ係止片４４が縦壁４３と対向して取付けられており、係止片４４は、縦壁４３の下部に当接されて取付けられる平板状の取付部４４１の上端から縦壁４３と反対側に凸となるようにく字状に折曲された平板状の係止部４４２が上方に延設されて、かつ係止部４４２の上端縁４４３と縦壁４３とは離間されてなる。そして、取付具４を介して照明具３を挿入孔２に取付けられた状態においては、取付具４の切込み４６に照明具３の縦リブ３８が嵌め込まれた状態となされ、もって照明具３の遊動を抑制している。
【００２１】
長尺体１の挿入孔２の上方から挿入孔２に相対向して取付けられた二個の取付具４に照明具３を押し込んで挿入固定する際、照明具３の相対向する外側面３６にそれぞれ一個ずつ設けられた棒体３７が取付具４のく字状の係止部４４２の上部傾斜面４４４に当接した時には、棒体３７に押されて係止部４４２が縦壁４３側に傾倒するが、さらに照明具３を押下し棒体３７が係止部４４２の頂部４４５を越えて照明具３の底面が前記底部４５に載置されると、係止部４４２は元の位置まで戻る。
【００２２】
したがって、照明具３が長尺体１の挿入孔２に挿入されて、取付具４に一旦取付けられると、例えば歩行者に踏まれる等の外力が照明具３に加わった際、照明具３の棒体３７が取付具４のく字状の係止部４４２の下部傾斜面４４６に邪魔されて、上方向にはほとんど移動できず、長尺体１から照明具３が容易に外れにくい。
【産業上の利用可能性】
【００２３】
本発明によれば、長手方向に中空部１１が形成された長尺体１に挿入孔２を形成し、該挿入孔２に取付具４を介して照明具３を挿入し、前記取付具４は、中空部１１内に挿入されて該取付具４を長尺体１に保持する挿入部４１と、前記照明具３を挿入孔２内に保持する保持部４２とを備えているため、長尺体１に照明具３を容易に設置することができる面状体であるデッキや壁面に好適に利用できる。
【符号の説明】
【００２４】
１    長尺体
１１  中空部
１２  上面
１３  下面
１４  縦リブ
２    挿入孔
３    照明具
３１  容器
３２  透光体
３３  押え
３４  ソーラ部
３５  発光体
３６  外側面
３７  棒体
３８  縦リブ
３９  貫通孔
４    取付具
４１  挿入部
４２  保持部
４３  縦壁
４４  係止片
４５  底面
４６  切込み
Ｐ    デッキ
Ｎ    根太材
【図１】
0005580092.tif 000002
【図２】
0005580092.tif 000003
【図３】
0005580092.tif 000004
【図４】
0005580092.tif 000005
【図５】
0005580092.tif 000006